(57)【要約】【解決手段】カニューラ２１のカニューラ本体２２に接続されている接続チューブ部１６、２３、２４が、頭部取付け用部材９を備えたカニューラ保持具１のチューブ係止部１４に係止されることによって、前方から見たときにカニューラ着用者３２の両眼の間を通って下方から上方へと延びるように構成されている。【効果】カニューラ着用者３２は、就寝時でさえ、カニューラによる酸素などの流体の供給を良好かつ快適に受けることができる。【選択図】  図６
2004321580.tif 000002
【特許請求の範囲】
【請求項１】
カニューラと、カニューラ保持具とを備え、
上記カニューラは、流体をカニューラ装着者の人体に供給する流体供給用チューブ部を有するカニューラ本体と、このカニューラ本体を流体供給源に接続する接続チューブ部とを備え、
上記カニューラ保持具は、上記カニューラ着用者の頭部に取付けることができる頭部取付け用部材と、この頭部取付け用部材に設けられたチューブ係止部とを備え、
上記カニューラ本体から延びている上記接続チューブ部が、上記チューブ係止部に係止されることによって、前方から見たときに上記カニューラ着用者の両眼の間を通って下方から上方へと延びるように構成されたカニューラ装置。
【請求項２】
上記頭部取付け用部材が上記カニューラ着用者の左右の耳に掛けることができるように湾曲している左右一対の耳掛け部を備えている請求項１に記載のカニューラ装置。
【請求項３】
上記カニューラ本体が、前方から見てほぼ水平形状のチューブ状部分と、このほぼ水平形状のチューブ状部分の中間部分から上記カニューラ着用者の左右の鼻孔にそれぞれ対応するようにほぼ上方に延びている上記流体供給用チューブ部としての左右一対のチューブ状プロング部とを備え、
上記流体供給源が酸素供給源である請求項１または２に記載のカニューラ装置。
【発明の詳細な説明】
【０００１】
【発明の属する技術分野】
本発明は、酸素などの気体や薬液などの液体のような流体を人体に供給するためのカニューラ装置に関し、特に、流体をカニューラ着用者の人体に供給する流体供給用チューブ部を有するカニューラ本体と、このカニューラ本体を流体供給源に接続する接続チューブ部とを備えたカニューラ装置に関するものである。なお、本文において、カニューラ装置とは、酸素などの気体や薬液などの液体のような流体を人体の鼻孔、口腔、気管などの任意の箇所にカニューラ、カテーテルなどと呼ばれている中空の管状体を通して供給する装置を意味している。
【０００２】
【従来の技術】
酸素タンクなどから成る酸素供給装置から供給される酸素を低肺患者などにその鼻孔を通して供給するのに用いられる鼻孔カニューラ装置は、特開２００３−３８６４７号公報にも開示されているように、従来から一般的に知られている。このような鼻孔カニューラ装置は、図８に示すように、酸素供給源としての酸素供給装置（図示せず）から供給される酸素を低肺患者などのカニューラ着用者４１にその鼻孔を通して供給するのに用いられる鼻孔カニューラ４２を備えている。
【０００３】
この鼻孔カニューラ４２は、図８に示すように、中空構造でフレキシブルなカニューラ本体４３と、このカニューラ本体４３の両端部にそれらの一端部をそれぞれ連結されている左右一対のフレキシブルなチューブ４４、４５と、これら一対のチューブ４４、４５の他端部を一本のフレキシブルなチューブ４６の一端部に連結しているフレキシブルなＹ字形コネクタ４７と、チューブ４６の他端部に取付けられているコネクタ（図示せず）とを備えている。そして、このコネクタは、鼻孔カニューラ４２の使用時には、酸素タンクなどから成る酸素供給装置に直接に接続されるかまたは接続チューブ（図示せず）を介して接続される。
【０００４】
カニューラ本体４３は、図８に示すように、カニューラ着用者４１の鼻４１ａのすぐ下の形状に対応して多少前方に突出するように湾曲しているほぼ水平形状のチューブ状部分４３ａと、この水平部４３ａの両端部からそれぞれ斜め上方外側に延びている左右一対のチューブ状連結部４３ｂ、４３ｃと、水平部４３ａの中間部分からカニューラ着用者４１の左右一対の鼻孔にそれぞれ対応するように上方に延びている左右一対のチューブ状プロング部（すなわち、枝分れ部）４３ｄ、４３ｅとを備えている。そして、上記一対の連結部４３ｂ、４３ｃの上端部に左右一対のチューブ４４、４５がそれぞれ連結されている。
【０００５】
このような従来から一般的に知られている図８に示すような鼻孔カニューラ装置を使用するときには、鼻孔カニューラ４２を図８に示すようにカニューラ着用者４１に着用させる。この場合、カニューラ本体４３の左右一対のプロング部４３ｄ、４３ｅをカニューラ着用者４１の左右の鼻孔にそれぞれ挿入する。また、左右一対のチューブ４４、４５を左右の耳４８ａ、４８ｂに湾曲した状態で引っ掛けることによって、鼻孔カニューラ４２をこれらの耳４８ａ、４８ｂに保持させる。そして、カニューラ本体４３、左右一対のチューブ４４、４５およびＹ字形コネクタ４７から成るループ状部分によって囲まれる開口部４９に左右の耳４８ａ、４８ｂ、口５０および顎５１がそれぞれほぼ挿入された状態でもって、鼻孔カニューラ４２はカニューラ着用者４１に着用される。この場合、Ｙ字形コネクタ４７は、カニューラ着用者４１の顎５１の少し下方または首の前面の下端付近あるいは胸の上端付近に位置することになる。なお、図８において、符号５２は、カニューラ着用者４１が就寝時に用いる枕である。
【０００６】
上述のような準備が終了した後に、酸素供給装置から酸素を供給すれば、カニューラ着用者４１は、鼻孔カニューラ４２を介して酸素の供給を受けることができる。
【０００７】
【発明が解決しようとする課題】
しかし、上述のように構成された従来から一般的に知られている図８に示すような鼻孔カニューラ装置においては、カニューラ着用者４１が鼻孔カニューラ４２を着用して酸素の供給を受けているときに、就寝して左右に寝返ると、鼻孔カニューラ４２のチューブ部分などがカニューラ着用者４１の首に巻きついたり、頭部と床面（例えば、布団の上面）との間に上記チューブ部分などが挟み込まれて酸素の供給が良好に行われなかったり、また、上記チューブ部分などが顔面に不測に触れたりする恐れがあり、このために、カニューラ着用者４１は、特に就寝時には、鼻孔カニューラ４２による酸素の供給を良好かつ快適に受けることができない恐れがあった。
【０００８】
本発明は、従来から一般的に知られている図８に示すような鼻孔カニューラ装置などのカニューラ装置の上述のような欠点を比較的簡単な構成により効果的に是正し得るようにしたものである。
【０００９】
【課題を解決するための手段】
本発明は、カニューラと、カニューラ保持具とを備え、上記カニューラは、流体をカニューラ装着者の人体に供給する流体供給用チューブ部を有するカニューラ本体と、このカニューラ本体を流体供給源に接続する接続チューブ部とを備え、上記カニューラ保持具は、上記カニューラ着用者の頭部に取付けることができる頭部取付け用部材と、この頭部取付け用部材に設けられたチューブ係止部とを備え、上記カニューラ本体から延びている上記接続チューブ部が、上記チューブ係止部に係止されることによって、前方から見たときに上記カニューラ着用者の両眼の間を通って下方から上方へと延びるように構成されたカニューラ装置に係るものである。
【００１０】
本発明においては、上記頭部取付け用部材が上記カニューラ着用者の左右の耳に掛けることができる左右一対の耳掛け部を備えていてよい。また、本発明においては、上記カニューラ本体が、前方から見てほぼ水平形状のチューブ状部分と、このほぼ水平形状のチューブ状部分の中間部分から上記カニューラ着用者の左右の鼻孔にそれぞれ対応するようにほぼ上方に延びている上記流体供給用チューブ部としての左右一対のチューブ状プロング部とを備え、上記流体供給源が酸素供給源であってよい。
【００１１】
【発明の実施の形態】
つぎに、本発明を鼻孔カニューラ装置に適用した一実施例を、「（１）カニューラ保持具の構成」、「（２）鼻孔カニューラの構成」および「（３）鼻孔カニューラ装置の作用および効果」に項分けして、図面を参照しつつ説明する。
【００１２】
（１）カニューラ保持具の構成
カニューラ保持具１は、図１に示すように、左右一対の帯状本体部２、３と、これら一対の帯状本体部２、３を連結する連結用帯状部４とを備えている。そして、左右一対の帯状本体部２、３は、眼鏡の弦のように後端部２ａ、３ａが耳に掛け得るように湾曲して凹部を形成している。なお、これらの湾曲部２ａ、２ｂの凹部の両側辺の成す角度θは、図示の実施例の場合には、約７０°であるが、本発明においては、実用性の観点から見て一般的に、４０〜１２０°の範囲であるのが好ましく、５５〜９０°の範囲であるのがさらに好ましい。また、これらの湾曲部または耳掛け部２ａ、３ａには、連結用帯状部４を通すことができるほぼ縦長のスリット５、６がそれぞれ形成されている。なお、左右一対の帯状本体部２、３は、発泡ポリエチレンなどの発泡合成樹脂、その他のフレキシブルな材料から成っていてよく、また、通気性を良好にするために小孔が貫通して多数設けられていてよい。さらに、連結用帯状部４は、ゴム混紡の平バンド、その他の伸縮性に富んでいてフレキシブルなテープ状材料から成っていてよい。
【００１３】
連結用帯状部４の一端部４ａは、図１および図３に示すように、左側の帯状本体部２のスリット５に挿通されてから折り返されて、連結用帯状部４の後面に接着剤による接着または縫製などによって左側帯状本体部２に取付けられている。そして、連結用帯状部４の他端部４ｂ付近の後面には、面ファスナのような結合手段７が接着剤による接着または縫製などによって取付けられている。また、連結用帯状部４の中間部付近の後面には、面ファスナのような結合手段８が接着剤による接着または縫製などによって取付けられている。なお、面ファスナ７は、雄型（すなわち、多数の鉤状部が基材に植設されている面ファスナ）であってよい。また、面ファスナ８は、雌型（すなわち、多数のループ状部が基材に植設されている面ファスナ）であってよい。しかし、これらの面ファスナ７、８の雄型と雌型とは互いに逆であってもよい。
【００１４】
連結用帯状部４の他端部４ｂは、図１および図３に示すように、右側の帯状本体部３のスリット６に挿通されてから折り返されて、連結用帯状部４の後面に着脱自在に取付けられているので、ひいては、右側帯状本体部３に取付けられている。したがって、上記他端部４ｂに取付けられている雄型面ファスナ７は、連結用帯状部４の前面側に向いている。なお、この取付けは、雄型面ファスナ７を雌型面ファスナ８に着脱自在に結合させることによって行うことができる。また、連結用帯状部４は、前面と後面とを互いに逆にした状態においても、左右一対の帯状本体部２、３を同様に連結することができる。
【００１５】
左側の帯状本体部２の他端部付近の前面には、図１および図２に示すように、面ファスナのような結合手段１１が接着剤による接着または縫製などによって取付けられている。また、右側の帯状本体部３の他端部付近の後面には、図１および図４に示すように、面ファスナのような結合手段１２が接着剤による接着または縫製などによって取付けられている。なお、面ファスナ１１は雄型であってよく、また、面ファスナ１２は雌型であってよいが、雄型と雌型とが互いに逆であってもよい。したがって、左右一対の帯状本体部２、３および連結用帯状部４から成る頭部取付け用バンド（すなわち、頭部取付け用部材）９は、面ファスナ１１と面ファスナ１２とを着脱自在に結合することによってリング状になるから、カニューラ着用者３２の頭部３２ｂ（図６（Ｃ）参照）に容易に取付けることができる。
【００１６】
右側の帯状本体部３の他端部付近の前面には、図１および図４に示すように、面ファスナのような結合手段１３が接着剤による接着または縫製などによって取付けられている。そして、右側の帯状本体部３の他端部付近の前面には、この面ファスナ１３を用いて、チューブ係止具１４が取付けられている。すなわち、このチューブ係止具１４の後面には、比較的小さい面ファスナのような結合手段１５が接着剤による接着または縫製などによって取付けられている。そして、面ファスナ１５を面ファスナ１３に着脱自在に結合させることによって、チューブ係止具１４が右側の帯状本体部３の他端部付近の前面に取付けられている。なお、面ファスナ１３は雄型であってよく、また、面ファスナ１５は雌型であってよいが、雄型と雌型とが互いに逆であってもよい。
【００１７】
チューブ係止具１４は、面ファスナ１５がその後面に取付けられた基板部１４ａと、チューブ１６を後述のように弾性的に把持して係止し得るほぼ鉤状またはほぼコーナ状の係止部１４ｂとから成っていてよい。また、チューブ係止具１４は、合成樹脂、その他の適当な弾性材料から成っていてよい。さらに、図１に示すカニューラ保持具１は、左側と右側とが互いに逆になるように構成されていてもよい。
【００１８】
（２）鼻孔カニューラの構成
鼻孔カニューラ２１は、図５に示すように、中空構造でフレキシブルなカニューラ本体２２と、このカニューラ本体２２の両端部にそれらの一端部をそれぞれ連結されている左右一対のフレキシブルなチューブ２３、２４と、これら一対のチューブ２３、２４の他端部を一本のフレキシブルなチューブ１６の一端部に連結しているフレキシブルなＹ字形コネクタ２５と、チューブ１６の他端部に取付けられているコネクタ２６とを備えている。また、鼻孔カニューラ２１は、伸縮可能でフレキシブルなスパイラルチューブまたはコイルチューブ２７と、このスパイラルチューブ２７の両端部にそれぞれ取付けられたコネクタ２８および２９とをさらに備えている。そして、コネクタ２８はコネクタ２６に着脱自在に連結される。また、コネクタ２９は、鼻孔カニューラ２１の使用時には、酸素タンクなどから成る酸素供給装置３１（図７参照）に直接に接続されるかあるいは酸素供給装置３１から延びているチューブ（図示せず）に接続される。
【００１９】
カニューラ本体２２は、図５に示すように、低肺患者などのカニューラ着用者３２（図６および図７参照）の鼻３２ａのすぐ下の形状に対応して多少前方に突出するように湾曲しているほぼ水平形状のチューブ状部分２２ａと、この水平部２２ａの両端部からそれぞれ斜め上方外側に延びている左右一対のチューブ状連結部２２ｂ、２２ｃと、水平部２２ａの中間部分からカニューラ着用者３２の左右の鼻孔３５ａ、３５ｂ（図６（Ｃ）参照）にそれぞれ対応するようにほぼ上方に延びている左右一対のチューブ状プロング部（すなわち、枝分れ部）２２ｄ、２２ｅとを備えている。そして、上記一対の連結部２２ｂ、２２ｃの上端部に左右一対のチューブ２３、２４がそれぞれ連結されている。
【００２０】
これら一対のチューブ２３、２４の上端部は、図５に示すように、リング３３に共通に挿入されている。そして、カニューラ本体２２の水平部２２ａ、左右一対の連結部２２ｂ、２２ｃ、左右一対のチューブ２３、２４およびリング３３から成るループ状部分によって囲まれる開口部３４が形成されている。なお、この開口部３４は、カニューラ着用者３２の鼻３２ａをほぼ取り囲む形状であって、この開口部３４には、図６（Ｃ）に示すように、鼻孔カニューラ２１の使用時にカニューラ着用者３２の鼻３２ａがほぼ挿入される。そして、リング３３を一対のチューブ２３、２４に対して上昇させることによって上記開口部３４を大きくすることができるとともに、下降させることによって上記開口部３４を小さくすることができる。さらに、カニューラ本体２２、左右一対のチューブ２３、２４、Ｙ字形コネクタ２５、チューブ１６およびスパイラルチューブ２７は、軟質ポリ塩化ビニルなどの合成樹脂、その他の柔軟性に富み無臭で軽量な材料から構成されていてよい。
【００２１】
（３）鼻孔カニューラ装置の作用および効果
図１〜図４に示すカニューラ保持具１と図５に示す鼻孔カニューラ２１とから成る鼻孔カニューラ装置を用いて、低肺患者などのカニューラ着用者３２に酸素供給装置３１からの酸素を供給するときには、つぎに記述する手順で行えばよい。
【００２２】
まず、図１〜図４に示すカニューラ保持具１の頭部取付け用バンド９の長さをカニューラ着用者３２の頭部３２ｂの外周囲の長さなどに応じて調整する。なお、この長さ調整においては、まず、図１および図３に示す連結用帯状部４の雄型面ファスナ７を雌型面ファスナ８から離脱させる。そして、連結用帯状部４のうちの右側帯状本体部３のスリット６に挿入されている箇所を長さ方向に適当にずらせることにより変更させてから、雄型面ファスナ７を雌型面ファスナ８に再び結合させる。
【００２３】
ついで、左右一対の帯状本体部２、３および連結用帯状部４から成る頭部取付け用バンド９をカニューラ着用者３２の頭部３２ｂに取付ける。この場合、まず、図６（Ａ）に示すように、左右一対の帯状本体部２、３を眼鏡の弦のようにカニューラ着用者３２の左右の耳３２ｃに引っ掛ける。換言すれば、一対の帯状本体部２、３のそれぞれの耳掛け部２ａ、３ａを左右の耳３２ｃの付け根にほぼ沿うようにそれぞれ部分的に巻きつけまたは当接させる。なお、これらの耳掛け部２ａ、３ａは、カニューラ着用者３２の頭部３２ｂに対する頭部取付け用バンド９の回り止めなどの位置保持機能を有している。ついで、図６（Ｂ）に示すように、左側の帯状本体部２の先端側の部分を額に当てがってから、その上に右側の帯状本体部３の先端側の部分を当てがうことによって、雄型面ファスナ１１に雌型面ファスナ１２を結合させる。また、チューブ係止具１４が額の左右方向におけるほぼ中央に位置するように、必要があれば、チューブ係止具１４の位置を調整する。なお、この調整は、雌型面ファスナ１５を雄型面ファスナ１３から取り外してチューブ係止具１４の位置を調整してから両者を再び結合させることによって行えばよい。
【００２４】
ついで、図５に示す鼻孔カニューラ２１をカニューラ着用者３２に着用させる。この場合、従来から一般的に知られているように、コネクタ２９を図７に示す酸素供給源としての酸素供給装置３１に連結する。また、図６（Ｃ）に示すように、カニューラ本体２２の左右一対のプロング部２２ｄ、２２ｅをカニューラ着用者３２の左右の鼻孔３５ａ、３５ｂにそれぞれ挿入する。また、チューブ１６をカニューラ保持具１のチューブ係止具１４の鉤状係止部１４ｂに弾性的に把持させて係止させる。さらに、リング３３を上下動させて開口部３４の外周囲が鼻３２ａの外周囲をほぼ取り囲むようにする。この場合、リング３３が前方から見て鼻３２ａの上端付近または目と目のほぼ中央に位置するようにすることができる。なお、これらの手順は、どのような順序で行われてもよい。そして、上述のような準備が終了した後に、酸素供給装置３１から酸素を供給すれば、従来から一般的に知られている鼻孔カニューラ装置の場合と同様に、カニューラ着用者３２は、鼻孔カニューラ２１を介して酸素の供給を受けることができる。
【００２５】
カニューラ着用者３２が図１〜図５に示す鼻孔カニューラ装置を着用した場合、カニューラ本体２２、左右一対のチューブ２３、２４およびリング３３から成るループ状部分が鼻３２ａの外周囲をほぼ取り囲む。また、鼻孔カニューラ２１のうちのリング３３から上方の部分（すなわち、左右一対のチューブ２３、２４の上端部、Ｙ字形コネクタ２５およびチューブ１６）は、前方から見て、カニューラ着用者３２左右の目の間、左右の眉毛の間、額、前頭部および頭頂部のそれぞれにほぼ沿ってこれらの部分の左右方向におけるほぼ中心を通って延びている。特に、カニューラ着用者３２の顔を前方（すなわち、正面）から見たときに、上記上方部分は、左右の目の間（すなわち、両眼間）を実質的に通っている。したがって、鼻孔カニューラ２１のチューブ部分などがカニューラ着用者３２の左右の目を部分的にしろ覆うことがないから、カニューラ着用者３２は読書などを支障なく行うことができる。また、図７に示すようにカニューラ着用者３２が就寝して睡眠したりした場合に、左右に寝返りを打っても、鼻孔カニューラ２１およびカニューラ保持具１が睡眠や寝返りの支障になる恐れがない。なお、鼻孔カニューラ２１およびカニューラ保持具１をカニューラ着用者３２から取り外したいときには、上述の取付けの場合とはほぼ逆の手順でもって容易に取り外すことができる。
【００２６】
以上に述べたとおりであるから、図１〜図７に示す実施例による鼻孔カニューラ装置によれば、つぎの（ａ）項および（ｂ）項に記載の効果を奏する。
（ａ）カニューラ着用者３２が鼻孔カニューラ２１（ひいては、カニューラ保持具１）を着用して酸素の供給を受けているときに、就寝して左右に寝返っても、鼻孔カニューラ２１のチューブ部分などがカニューラ着用者３２の首に巻きついたり、頭部３２ｂと床面（すなわち、図７に示す布団３６の上面）との間に上記チューブ部分などが挟み込まれて酸素の供給が良好に行えなかったり、また、上記チューブ部分などが顔面に不測に触れたりする恐れがなく、このために、カニューラ着用者は、就寝時でさえ、鼻孔カニューラ２１による左右一対の鼻孔３５ａ、３５ｂを通しての酸素の供給を良好かつ快適に受けることができる。
（ｂ）カニューラ保持具１の頭部取付け用バンド９が眼鏡の左右一対の弦のような左右一対の耳掛け部２ａ、３ａを備えているから、カニューラ着用者３２は、眼鏡を掛けるような要領で頭部取付け用バンド９を頭部に着用することができ、このために、カニューラ保持具１を頭部に簡単かつ確実に着用することができる。
【００２７】
以上において、本発明の一実施例について詳細に説明したが、本発明は、この実施例に限定されるものではなく、特許請求の範囲に記載された発明の趣旨に基づいて各種の変更および修正が可能である。
【００２８】
例えば、上述の実施例においては、連結用帯状部４の中間部に対する他端部４ｂの結合、左側の帯状本体部２の先端側の部分に対する右側の帯状本体部３の先端側の部分の結合および右側帯状本体部３に対するチューブ係止具１４の結合をいずれも面ファスナ７、８、１１〜１３、１５でもって行うようにした。しかし、これらの結合のいくつかまたは全部を面ファスナ以外の手段（例えば、ハトメ、スナップボタンなど）で行ってもよく、さらに、これらの結合が簡単に解除されないように（換言すれば、着脱自在にならないように）接着剤による接着または縫製などで行ってもよい。
【００２９】
また、上述の実施例においては、カニューラ保持具１の頭部取付け用部材９に、カニューラ着用者３２の左右の耳３２ｃに掛けることができるように湾曲している左右一対の耳掛け部２ａ、３ａを設けた。しかし、頭部取付け用部材９は、必ずしもこのような耳掛け部２ａ、３ａを備えている必要はなく、カニューラ着用者３２が頭部３２ｂにヘアバンドや鉢巻きのように単に巻きつけたりあるいはナイトキャップのように被ったりするものであってもよい。
【００３０】
さらに、上述の実施例においては、本発明を酸素を供給するための鼻孔カニューラ装置（換言すれば、経鼻用カニューラ装置）に適用した。しかし、本発明は、酸素を供給するための経鼻用カニューラ装置以外にも、酸素、薬液などの流体を供給するための経口用カニューラ装置、その他のカニューラ装置や、酸素以外の薬液などの流体を供給するための経鼻用カニューラ装置にも適用することができる。なお、上記その他のカニューラ装置としては、低肺患者などの首の前面のほぼ中央部分に気管ボタン（図示せず）を取付け、この気管ボタンを通してカテーテル本体の酸素供給用チューブ部から気管に酸素を供給するものなどであってよい。
【００３１】
【発明の効果】
本発明によれば、カニューラ着用者がカニューラ（ひいては、カニューラ保持具）を着用して流体の供給を受けているときに、就寝して左右に寝返っても、カニューラの接続チューブ部がカニューラ着用者の首に巻きついたり、頭部と床面（例えば、布団の上面）との間に接続チューブ部が挟み込まれて流体の供給が良好に行えなかったり、また、接続チューブ部が顔面に不測に触れたりする恐れがなく、このために、カニューラ着用者は、就寝時でさえ、カニューラによる流体の供給を良好かつ快適に受けることができる。
【００３２】
また、請求項２に記載の発明によれば、カニューラ保持具の頭部取付け用部材がカニューラ着用者の左右の耳に掛けることができるように湾曲している左右一対の耳掛け部を備えているから、カニューラ着用者は、眼鏡を掛けるような要領で頭部取付け用部材を頭部に着用することができ、このために、カニューラ保持具を簡単かつ確実に頭部に着用することができる。
【００３３】
さらに、請求項３に記載の発明によれば、カニューラ着用者は、就寝時でさえ、カニューラによって酸素を左右一対の鼻孔を通して良好かつ快適に供給されることができる。
【図面の簡単な説明】
【図１】本発明を鼻孔カニューラ装置に適用した一実施例におけるカニューラ保持具の正面図である。
【図２】図１のＩＩ−ＩＩ線に沿った断面図である。
【図３】図１のＩＩＩ−ＩＩＩ線に沿った断面図である。
【図４】図１のＩＶ−ＩＶ線に沿った断面図である。
【図５】図１〜図４に示すカニューラ保持具によって保持される鼻孔カニューラの部分的に分解した正面図である。
【図６】図１〜図５に示す鼻孔カニューラ装置をカニューラ着用者が着用する手順を示す斜視図であって、（Ａ）は図１〜図４に示すカニューラ保持具をカニューラ着用者に取付ける途中の状態を示し、（Ｂ）は図１〜図４に示すカニューラ保持具をカニューラ着用者に取付け終る直前の状態を示し、（Ｃ）は図１〜図４に示すカニューラ保持具が取付けられたカニューラ着用者に鼻孔カニューラを取付けた状態を示す。
【図７】図６（Ｃ）に示す鼻孔カニューラ装置を着用したカニューラ着用者の睡眠状態を示す斜視図である。
【図８】従来の鼻孔カニューラを着用したカニューラ着用者の睡眠状態を示す斜視図である。
【符号の説明】
１            カニューラ保持具
２ａ          湾曲部（耳掛け部）
３ａ          湾曲部（耳掛け部）
９            頭部取付け用バンド（頭部取付け用部材）
１４          チューブ係止具（チューブ係止部）
１６          チューブ（接続チューブ部）
２１          鼻孔カニューラ（カニューラ）
２２          カニューラ本体
２２ａ        チューブ状部分（水平部）
２２ｄ        プロング部（枝分れ部）
２２ｅ        プロング部（枝分れ部）
２３          チューブ（接続チューブ部）
２４          チューブ（接続チューブ部）
２５          Ｙ字形コネクタ（接続チューブ部）
２６          コネクタ（接続チューブ部）
２７          スパイラルチューブまたはコイルチューブ（接続チューブ部）
２８          コネクタ（接続チューブ部）
２９          コネクタ（接続チューブ部）
３１          酸素供給装置（酸素供給源または流体供給源）
３２          カニューラ着用者
３２ｂ        頭部
３２ｃ        耳
３５ａ        鼻孔
３５ｂ        鼻孔
【図１】
2004321580.tif 000003
【図２】
2004321580.tif 000004
【図３】
2004321580.tif 000005
【図４】
2004321580.tif 000006
【図５】
2004321580.tif 000007
【図６】
2004321580.tif 000008
【図７】
2004321580.tif 000009
【図８】
2004321580.tif 000010